(57)【特許請求の範囲】
【請求項１】
前端部に係止爪を突出形成した一対の挟持片の後端部同士をばねを介して開閉自在に連結すると共に前記両挟持片をカーラーの外周に挟着してカーラーに巻回した毛髪を係止するヘアーカーラー用髪止具において、前記挟持片の内面にカーラーの突起に係止するためのリブを設け、該リブの突出長さをカーラーの突起とほぼ同じ突出長か又は突起の突出長さ以上として成ることを特徴とするヘアーカーラー用髪止具。
【請求項２】
リブは挟持片のカーラーの軸方向と平行な方向において薄肉に形成されていることを特徴とする請求項１記載のヘアーカーラー用髪止具。
【請求項３】
挟持片は係止爪を備え、且つリブが挟持片の前後方向に２列形成してあることを特徴とする請求項１記載のヘアーカーラー用髪止具。
【発明の詳細な説明】
【０００１】
【発明の属する技術分野】
本発明は、ヘアーカーラーに巻いた髪の毛を挟んで固定しておくためのクリップタイプのヘアーカーラー用髪止具に関するものである。
【０００２】
【従来の技術】
ヘアーカーラーに巻いた髪の毛を挟んで固定しておくためのクリップタイプのヘアーカーラー用髪止具として、登録実用新案公報第３０１８９２８号が知られている。この登録実用新案公報第３０１８９２８号に示されたものは、一対の挟持片の前後方向の一端部（つまり後端部）をばねを介して開閉自在に連結して構成されており、挟持片の内面に突出長さがきわめて短い小突起が整列配置してあるものである。
【０００３】
上記従来例の挟持片の内面に形成した小突起は毛髪とのすべり止めのためのものである。つまり、挟持片の内面に形成した小突起は突出長さがきわめて短く（もちろんカーラーの突起よりも突出長さが短く）、カーラーに巻回した毛髪にヘアーカーラー用髪止め具を係止した際、挟持片の内面の小突起が毛髪を巻いた層の上面部分にのみ当たって毛髪との滑り止めを行うのみで、挟持片のフラットな全内面がカーラーに巻回した毛髪を押圧することになり、このため、挟持片の内面全体で毛髪を押さえるようになり、ふんわりとしたカールがつかないという問題がある。また、従来にあっては、カーラーが長手方向に位置ずれするためのストッパーが存在せず、このため、容易にカーラーの長手方向（つまりカーラーの軸方向）への位置ずれが生じるという問題がある。
【０００４】
【発明が解決しようとする課題】
本発明は上記の従来例の問題点に鑑みて発明したものであって、カーラーに巻回した毛髪を係止した際に、カーラーの位置ずれが生じることがなく、更にふんわりとしたカールをつけることができるヘアーカーラー用髪止具を提供することを課題とするものである。
【０００５】
【課題を解決するための手段】
上記課題を解決するため、本発明のヘアーカーラー用髪止具は、前端部に係止爪２を突出形成した一対の挟持片３の後端部同士をばね１を介して開閉自在に連結すると共に前記両挟持片３をカーラー４の外周に挟着してカーラー４に巻回した毛髪５を係止するヘアーカーラー用髪止具６において、前記挟持片３の内面にカーラー４の突起７に係止するためのリブ８を設け、該リブ８の突出長さをカーラー４の突起７とほぼ同じ突出長か又は突起７の突出長さ以上として成ることを特徴とするものである。このような構成として、リブ８がカーラー４の突起７に係止することで、カーラー４の位置ずれを防止するようになっている。そして、リブ８の突出長さをカーラー４の突起７とほぼ同じ突出長か又は突起７の突出長さ以上としてあることで、カーラー４に毛髪５を巻回した状態でリブ８によりカーラー４の表面と挟持片３の内面との間に隙間を形成することで、挟持片３の全内面でカーラー４に巻回した毛髪５を押圧することがなくてふんわりとしたカールをつけることができるようになっている。
【０００６】
また、リブ８は挟持片３のカーラー４の軸方向と平行な方向において薄肉に形成されていることが好ましい。このような構成とすることで、リブ８を設けたと言えども、毛髪５をリブ８により面で押さえることがなく、また、カーラー４の突起７間へのリブ８の収まりがよくなって、カーラー４のずれを防止することができるようになっている。
【０００７】
また、挟持片３は係止爪２を備え、且つリブ８が挟持片３の前後方向に２列形成してあることも好ましい。このような構成とすることで、径の小さなカーラー４は挟持片３とリブ８とで固定することができ、また、径の大きなカーラー４は挟持片３と係止爪２とで固定することができるようになっている。
【０００８】
【発明の実施の形態】
本発明を以下添付図面に示す実施形態に基づいて説明する。
本発明のヘアーカーラー用髪止具６は一対の挟持片３を一端部側において開閉自在に連結してクリップ状に形成してある。すなわち、挟持片３は合成樹脂の一体成形により形成してあり、該挟持片３の前後方向の一端部（つまり前端部）には係止爪２が設けてあり、挟持片３の前後方向の他端部（つまり後端部）には摘み片１１が設けてあり、この摘み片１１の内面にコイルばね設置部１２が設けてあり、更に、コイルばね設置部１２の左右方向（つまりカーラー４の軸方向と平行な方向）の両側に連結部１３が設けてある。そして、一対の挟持片３の一端部の対向する連結部１３同士を軸部１４により回動自在に連結してある。ここで、軸部１４は一方の挟持片３に一体に形成しておいてもよく、あるいは、別体の軸部を用いてもよい。また、一対の挟持片３の一端部の対向するコイルばね設置部１２にばね１を構成するコイルばね１ａを設置して該コイルばね１ａにより両挟持片３が閉じる方向にばね力を付与してある。ここで、コイルばね１ａは対向する摘み片１１の内面間に配置されると共にコイルばね１ａの両端部のコイルの軸芯と平行に折り曲げた部分を凹状となったコイルばね設置部１２に嵌め込むことで設置してある。
【０００９】
上記の構成のヘアーカーラー用髪止具６は通常はコイルばね１ａのばね力により図５に示すように閉じており、使用に当たっては、一対の摘み片１１を指で摘んでコイルばね１ａのばね力に抗してヘアーカーラー用髪止具６を開き、図２に示すようなカーラー４に巻回した毛髪５に被せるようにした状態で摘み片１１を離すことで、一対の挟持片３によりカーラー４に巻回した毛髪５を両側から挟持して固定するようにして使用するものである。図２においてＦは使用者の顔を示している。
【００１０】
挟持片３の内面には図に示すようなカーラー４の突起７に係止するためのリブ８が設けてある。このリブ８の突出長さはカーラー４の突起７とほぼ同じ突出長か又は突起７の突出長さ以上としてある。このことによりカーラー４に毛髪５を巻回した状態でヘアーカーラー用髪止具６で挟持すると、リブ８が巻回した毛髪５に食い込んでカーラー４の突起７に係止されてカーラー４の位置ずれを防止し、且つリブ８がスペーサの役目をして挟持片３が毛髪５を強く押圧することがないものである。添付図面に示す実施形態においては、リブ８は図１に示すように、挟持片３の前後方向において略半円形状をした突部となっており、また、挟持片３の左右方向（つまりカーラー４の軸方向と平行な方向）においては薄肉となっている（つまり、リブ８は挟持片８のカーラー４の軸方向と平行な方向に薄く且つ前後方向に略半円形状をした半円状薄板となっている）。また、薄肉のリブ８の先端は根元側よりも更に薄くなるように尖っている。そして、リブ８をカーラー４の軸方向と平行な方向において薄肉とすることで、カーラー４に巻回した毛髪５にヘアーカーラー用髪止具６を被せるようにして係止した場合、カーラー４に巻回した毛髪５を面で押さえることがなくなってふんわりとしたカールをつけることができるようになっている。また、このようにリブ８をカーラー４の軸方向と平行な方向において薄肉とすることで、カーラー４の突起７間にリブ８が収まり易くなって、リブ８による突起７との係止が確実になり、カーラー４の長手方向（つまり、カーラー４の軸方向）のずれや抜けを防止することができるようになっている。
【００１１】
各挟持片３にはそれぞれ内面にリブ８が挟持片３の幅方向に２列形成してある。
また、一対の挟持片３はそれぞれ前端部に係止爪２が設けてある。この係止爪２は弧状をしており、対向する挟持片３で係止爪２が挟持片３のカーラー４の軸方向にずれているが、そのずれは小さくて対向する係止爪２同士は挟持片３の左右方向に接近している。係止爪２の突出基部の内面には補強兼カーラー４への固定用のリブ１５が設けてあり、このリブ１５も前述のリブ８と同様の理由でその突出長さはカーラー４の突起７とほぼ同じ突出長か又は突起７の突出長さ以上としてあり、また、リブ１５をカーラー４の軸方向と平行な方向において薄肉としてある。
【００１２】
図４には小径のカーラー４に毛髪５を巻回した状態でヘアーカーラー用髪止具６の一対の挟持片３により挟持して固定した状態を示しているが、この場合には挟持片３とリブ８とで固定できるものである。
また、図５には大径のカーラー４に毛髪５を巻回した状態でヘアーカーラー用髪止具６の一対の挟持片３により挟持して固定した状態を示しているが、この場合には挟持片３と係止爪２とで固定できるものである。
【００１３】
【発明の効果】
本発明の請求項１記載の発明にあっては、前端部に係止爪を突出形成した一対の挟持片の後端部同士をばねを介して開閉自在に連結すると共に前記両挟持片をカーラーの外周に挟着してカーラーに巻回した毛髪を係止するヘアーカーラー用髪止具において、前記挟持片の内面にカーラーの突起に係止するためのリブを設け、該リブの突出長さをカーラーの突起とほぼ同じ突出長か又は突起の突出長さ以上としてあるので、カーラーに巻回した毛髪をヘアーカーラー用髪止具で挟持した場合、リブがカーラーの突起に係止してカーラーの位置ずれが防止できるものであり、また、リブの存在により挟持片の全内面で毛髪を強く押圧することがなく、ふんわりとしたカールをつけることができるものである。
【００１４】
また、請求項２記載の発明にあっては、上記請求項１記載の発明の効果に加えて、リブは挟持片のカーラーの軸方向と平行な方向において薄肉に形成されているので、カーラーに巻回した毛髪をリブで係止した際に毛髪を面で押さえることがなくなり、更に、ふんわりとしたカールをつけることができると共に、カーラーの突起間にリブが収まるようになって、カーラーの長手方向（つまりカーラーの軸方向）への抜け止めが確実にできるものである。
【００１５】
また、請求項３記載の発明にあっては、上記請求項１記載の発明の効果に加えて、挟持片は係止爪を備え、且つリブが挟持片の前後方向に２列形成してあるので、径の小さなカーラーは挟持片とリブとで固定することができ、また、径の大きなカーラーは挟持片と係止片とで固定することができるものであって、大小の径のカーラーに適用できるものである。
【図面の簡単な説明】
【図１】本発明の斜視図である。
【図２】同上の使用状態の断面図である。
【図３】同上の径の大きいカーラーに巻回した毛髪を本発明のヘアーカーラー用髪止具で挟持した状態を示す説明図である。
【図４】同上の径の小さいカーラーに巻回した毛髪を本発明のヘアーカーラー用髪止具で挟持した状態を示す説明図である。
【図５】同上のヘアーカーラー用髪止具を使用していない状態における側面図である。
【図６】同上に使用するカーラーを示し、（ａ）は径の小さいカーラーを示す正面図であり、（ｂ）は径の大きいカーラーを示す正面図である。
【符号の説明】
１  ばね
２  係止爪
３  挟持片
４  カーラー
５  毛髪
６  ヘアーカーラー用髪止具
７  突起
８  リブ
【図１】
0003588925.tif 000002
【図２】
0003588925.tif 000003
【図３】
0003588925.tif 000004
【図４】
0003588925.tif 000005
【図５】
0003588925.tif 000006
【図６】
0003588925.tif 000007